(57)【要約】【課題】  断裂、損壊を避けることができ、使用寿命を増進させることができる固定式側アームの電子カードコネクターを提供する。【解決手段】  多数の端子を嵌設していて両側に各別に少なくとも一本の側アーム１２を突伸し両側の側アーム１２の間に電子カード置き区１０を形成し各該側アーム１２上に突き塊１２１を突設するプラスチック本体１と、個別にプラスチック本体１の両側の側アーム１２の外側に嵌置されて、彎曲して突き板部を突伸し該突き板部２３１を投影的に該側アーム１２の裏側に伸置き該電子カード置き区１０の上側に設ける少なくとも二つの弾性ユニット２を含む固定式側アームの電子カードコネクターである。【選択図】    図１
0003103140.tif 000002
【実用新案登録請求の範囲】
【請求項１】
プラスチック本体はベース部を有し、該ベース部の一側は少なくとも一つの差し穴が凹設され、電子カードの前縁が挿接され、各該差し穴の上、下の両側にそれぞれ並列して多数個の端子穴が貫通して設けられそれぞれに端子が嵌置され、両側アームは該ベース部の両側に突伸して両側アームの間に電子カード置き区を形成し、各側アーム上に突き塊が突設され、少なくとも二つの嵌穴はそれぞれベース部の両端に凹設され、
一つの弾性ユニットは基板部を有し、該基板部の前端縁に少なくとも一つの嵌接部が突設され、対応する該プラスチック本体の嵌穴の中に嵌置され、該基板部の板縁は縦が長く弾性アームが突伸しており、該プラスチック本体の側アームの外側に貼り寄せ、該弾性アームの頂縁は該側アームの方向に向いて突き板部を突伸していることを特徴とする固定式側アームの電子カードコネクター。
【請求項２】
該プラスチック本体の両側の側アームは、その横断面がＬ字形の断面になっていることを特徴とする請求項１に記載の固定式側アームの電子カードコネクター。
【請求項３】
該弾性ユニットの基板部の別の側板縁は彎曲してアース板が延伸され、回路板のアース回路と連接していることを特徴とする請求項１に記載の固定式側アームの電子カードコネクター。
【請求項４】
該弾性ユニットの弾性アームの自由端は彎曲して定位鉤部が設けられ、常時該プラスチック本体の定位凹穴の中に伸置かれ、該弾性アームを外に向けて角度をはね動かした後には該定位鉤部は該定位凹穴の一側の穴壁の側縁に突き寄され、該弾性アームが継続して外に向かってはね動くのを阻害することを特徴とする請求項１に記載の固定式側アームの電子カードコネクター。
【請求項５】
該弾性ユニットの嵌接部の上には、それぞれ少なくとも一つの逆鉤部が設けられていることを特徴とする請求項１に記載の固定式側アームの電子カードコネクター。
【請求項６】
該弾性ユニットは該弾性アームの頂縁の突き板部に突伸しており、その端縁は下に向かって彎曲して弧形面になっていることを特徴とする請求項１に記載の固定式側アームの電子カードコネクター。
【請求項７】
該弾性ユニットは該弾性アームの頂縁の突き板部に突伸しており、その端縁は下に向かって彎曲して斜面になっていることを特徴とする請求項１に記載の固定式側アームの電子カードコネクター。
【請求項８】
該プラスチック本体の各側アームは少なくとも一つのカセット穴が凹設されており、弾性ユニットが中に置かれ、該弾性ユニットの弾性アームを該カセット穴の中で外に向かってはね動かすことが可能であり、該弾性アームを外に向けてはね動かし、該カセット穴の穴壁に突き寄った時には該弾性アームの頂縁に突設した突き板部は投影的に完全に両側アーム間にある電子カード置き区の上側を離れることを特徴とする請求項１に記載の固定式側アームの電子カードコネクター。
【考案の詳細な説明】
【技術分野】
【０００１】
本考案は、一種の固定式側アームの電子カードコネクターに関し、特に一種の電子カードコネクターのプラスチック本体の両側の側アームが電子カードを差し込む或いは取り出す操作の過程中で外に向かってはね動かす必要がないので、これによって該側アームの断裂、損壊を避けることができ、該コネクターの使用寿命を増進することができる。
【背景技術】
【０００２】
現在、一般に応用されている電子カードを連接しているコネクターは図１０に示すように、そのコネクターは下記のものを含む。プラスチック本体９１、該プラスチック本体９１のベース部は並列に多数の端子９１１を嵌設し、電気で挿入した電子カードを連接している。該プラスチック本体９１の両側に個別に側アーム９１２を突伸している。また、二つの固定バネ板９２、各該固定バネ板９２は挿し板９２１を含み、対応する該プラスチック本体９１の中に嵌入する。且つ該固定バネ板９２は径向きに側壁９２３を突伸して該プラスチック本体９１の側アーム９１２の外側に貼り寄せて該プラスチック本体９１の側アーム９１２を補強する。使用状態では、電子カードを取り出した時には、外に向かって押し開く両側アーム９１２、９１２を減低させようとするので、これによって両側アーム９１２、９１２を断裂する可能性を生じる。別に該固定バネ板９２が下に向かって接合板９２２を突伸して回路板の表面に粘着する。
【０００３】
しかし、前記のコネクターの構造は、下記のような欠点がある。
１．固定バネ板９２の挿し板９２１を側アーム９１２の挿し孔９１３に差し込んだ過程で、プラスチック本体９１の側アーム９１２は、非常に長い吊りアーム状になっている。尚且つプラスチックの材質であるので、この構造は極めて脆弱で、極めて容易に断裂する。
【０００４】
２．使用する状態では、プラスチック本体９１の側アーム９１２は、非常に長い吊りアーム状のプラスチックの材質であるので、その構造は非常に脆弱である。これは電子カードを取り出す過程中では、必ずこの構造が極めて脆弱の両側アーム９１２、９１２を各別に外に向けて開くので、極めて容易に施力の不当によって、両側アーム９１２、９１２の断裂を形成して使用寿命を縮める。
３．各固定バネ板９２は適当なアース構造がなく、差し込んだ電子カードと接触してアース回路を構成することがないので、このために容易に電子カードの信号出力の品質を影響する。
【０００５】
４．固定バネ板９２の挿し板９２１をプラスチック本体９１の挿し孔９１３に差し込む過程では、固定バネ板９２の挿し板９２１は極めて容易に挿し曲がって接合板９２２もこれに伴って偏差を形成し、規格を外れる。このために接合板９２２と下側の回路板（図には示されていない）とは正確に接触することができないので接触不良になる。但し、生産者は事前に知ることができない。このように、固定バネ板９２を偏差してプラスチック本体９１に差し込んだ後で回路板と同時に表面の粘着加工をした際には、接触不良になって不良品になる。
【考案の開示】
【考案が解決しようとする課題】
【０００６】
しかしながら、上記で説明したように、現在使用している電子カードコネクターはプラスチック本体９１の側アーム９１２が長い吊りアーム状で、その材質も又プラスチックの材質であるので容易に断裂する。これによってコネクターの使用寿命を縮める。また、各固定バネ板９２はアース構造がないので、電子カードと接触した後では信号出力の品質が悪い。また、固定バネ板９２の挿し板９２１は容易に挿し曲がるので、接合板９２２は偏差を形成して、下側の回路板と正確に接触することができないために、加工した成品は接触不良になって不良品になる欠点がある。
よって本考案の目的は、断裂、損壊を避けることができ、使用寿命を増進させることができる固定式側アームの電子カードコネクターを提供することである。
【課題を解決するための手段】
【０００７】
本考案は上記の点を解決するためになされたものであり、一種の固定式側アームの電子カードコネクターを提供する。このコネクターは下記のものを含む。プラスチック本体、該プラスチック本体は多数の端子を嵌設していて、プラスチック本体の両側に各別に少なくとも一本の側アームを突伸し、両側の側アームの間に電子カード置き区を形成し、各該側アーム上に突き塊を突設する。また、少なくとも二つの弾性ユニット、該弾性ユニットは個別にプラスチック本体の両側の側アームの外側に嵌置されて、各該弾性ユニットを彎曲して突き板部を突伸し、且つ該突き板部を投影的に該側アームの裏側に伸置き、且つ該電子カードの置き区の上側に設けることによって電子カードコネクターの使用寿命を増進させる効果を達成する。
【考案を実施するための最良の形態】
【０００８】
以下、図面に従って本考案を説明する。
図１〜５を参照する。本考案の一実施例による固定式側アームの電子カードコネクターは下記のものを含む。プラスチック本体１、該プラスチック本体１は、多数個の端子を嵌設しており、両側に各別に少なくとも一本の側アーム１２を突伸し、両側の側アーム１２の間に電子カードの置き区１０を形成し、且つ各該側アーム１２に突き塊１２１を突設している。少なくとも二つの弾性ユニット２、該弾性ユニット２は個別にプラスチック本体１の側アーム１２の外側１２ａに嵌置されており、各該弾性ユニット２を彎曲して突き板部２３１を突伸し、且つ該突き板部２３１を投影的に該側アーム１２の裏側１２ｂに伸置き、且つ投影の所は該電子カード置き区１０の上側にある。これにより、使用者が上から下に一枚の電子カード３を置き込んだ時、電子カード３は先に外に向かって弾性に両側の弾性ユニット２を張り開いた後に電子カード３の両側の定位穴３１に対応する該アーム１２の突き塊１２１を中に掛け込んで、該電子カード３が後に向かって退移するのを阻害する。そして、該電子カード３が安定して該側アーム１２と掛け合った後に二つの該弾性ユニット２は弾性回復によって突き板部２３１を該電子カード３の上縁に突き寄せて、該電子カード３が上に向かってはね離れるのを阻害する。さらに、上記の電子カード３を挿し置く過程中では、プラスチックの材料で作った両側の各側アーム１２は外に向かって突きおされることがないので、断裂を発生する状況を避けることができ、使用寿命を増進させることができる。
【０００９】
本実施例が示したプラスチック本体１は、図１〜４に示すように一体成形でできる。該プラスチック本体１は下記のものを含む。ベース部１１、該ベース部１１の一側に挿し穴１１を凹設し、丁度よく電子カード３の前縁を挿接し、該挿し穴１１１の上、下の両側に各別に並列して多数個の端子穴１１２ａ、１１２ｂを設け、個別に端子１１３ａ、１１３ｂを中に嵌置いて、各該端子１１３ａ、１１３ｂの電気によって挿し込んだ電子カード３の回路を連接する。両側アーム１２は該ベース部１１の両側に突伸する。また少なくとも二つの嵌穴１３、該嵌穴１３は各別にベース部１１の両端に凹設し、個別に丁度よく弾性ユニット２の嵌接部２２を中に嵌込む。
【００１０】
本実施例のプラスチック本体１は、その中の両側の側アーム１２に突設したその断面がＬ字形の断面になっていて、彎曲に抵抗する能力を増進する。しかし本考案はその形状に対して自限をしない。
本実施例が示した弾性ユニット２は、金属板材で一体にプレス成形したものである。該弾性ユニット２は基板部２１を含む。該基板部２１の前端縁は少なくとも一つの嵌接部２２を突設して、対応する該プラスチック本体１の嵌穴１３の中に嵌置かれて、該基板部２１の板縁に縦向きに長く弾性アーム２３を突伸して、該プラスチック本体１の側アーム１２の外側１２ａに貼り寄せ、該弾性アーム２３の頂縁に該側アーム１２の方向に向かって突き板部２３１を突伸し、該突き板部２３１を投影的に該プラスチック本体１の電子カード置き区１０の上側にする。
【００１１】
上記の弾性ユニット２は、該基板部２１の別の板縁に彎曲してアース板２４を延伸して回路板（図には示していない)のアース回路と連接し、コネクターの中に挿し置いた電子カード３をアースさせて電子カード３が瞬間的な電荷を受けて損壊するのを避ける。
本考案が示した弾性ユニット２は、その弾性アーム２３の自由端は定位鉤部２５を彎曲して設け、常時該プラスチック本体１の定位凹穴１４の中に伸置き、該弾性アーム２３を外に向かって角度をはね動かした後に該定位鉤部２５が該定位凹穴１４の側穴壁の側縁に突き寄せて、該弾性アーム２３が継続して外に向かってはね動くのを突き止める。これによって該弾性アーム２３が外に向かってはね動く角度を制限する。
【００１２】
本実施例が示した弾性ユニット２は、その中の各該嵌接部２２上は個別に少なくとも一つの逆鉤部２２１をプレス成形して固く該プラスチック本体１の対応した嵌穴１３の中に嵌掛けて、有効的に該弾性ユニット２の退移を阻害する。
本実施例が示した弾性ユニット２は、その中の該弾性アーム２３の頂縁に突伸した突き板部２３１の外端は下に向かって彎曲して弧形面或いは斜面２３１ａになっていて、電子カード３をスムーズに下に向けて該電子カード置き区１０の中に圧入するのをガイドし、下に向け該電子カード３を圧移した時にスムーズに外に向けて該弾性ユニット２の弾性アーム２３を推移することができる。
【００１３】
図３、４、および５に示すように、本実施例を用いる応用した時使用者は、先に電子カード３の前端３ａを該プラスチック本体１のベース部１１の挿し穴１１１の中に挿入し、その後に該電子カード３の後端３ｂを下に向けて押すことができる。この時は、電子カード３の両側は、外に向かって二つの弾性ユニット２の弾性アーム２３を推移して、該電子カード３をスムーズに電子カード置き区１０の中に滑り込むことができる。同時に該電子カード３の両側にある定位穴３１を対応する該プラスチック本体１の両側の側アーム１２の突き塊１２１の外縁に掛け込んで、該電子カード３が後に向けて退移するのを突き止める。電子カード３が完全に該電子カード置き区１０に移入した後では、両側にある弾性ユニット２の弾性アーム２３は再度突き押されることがなく、自動に弾性回復し、これによって弾性アーム２３の上の突き板部２３１を該電子カード３の上側に突き寄せて該電子カード３が上に向かってはね離れるのを突き止める。該突き板部２３１を該電子カード３のアース接点３２と連接することができ、これで電子カード３のアース回路を完成する。
【００１４】
使用者が該電子カード３を取り出す時は、図４、および５に示すように、外に向かって両側の弾性ユニット２の弾性アーム２３をはね動かし、図３の状態になる。弾性アーム２３の上の突き板部２３１は再度該電子カード置き区１０の上側に投影しなくても、この時では使用者は簡単に該電子カード３を上に向けて軽く押して取り出すことができる。上記の電子カード３の挿し込み或いは取り出しの操作過程はプラスチック本体１の両側の側アーム１２を押し開く必要がないので、プラスチックの材質で作った側アーム１２は折断される恐れがなく、周知のコネクターの欠点を改善することができ、コネクターの使用寿命を増進することができる。これによって本考案の新鋭性および実用性が現われる。
【００１５】
本考案に従う構造は、図１〜５に示す単層電子カードコネクターに応用する他に、図６〜９に示す両層或いは多層電子カードコネクターに応用することができるので本考案はこれを自限しない。
図６〜９を参照する。本考案の第二実施例による固定式側アームの電子カードコネクターの固定式側アームの電子カードコネクターは、その中の該プラスチック本体１’のベース部１１’は二列或いは両列以上の挿し穴１１１を含む。該ベース部１１’の両側には、個別に一本の側アーム１２’を突設していて、各側の側アーム１２’の外側には個別に少なくとも二つの弾性ユニット２’が嵌置れていて、両弾性ユニット２’が上、下の排列状になっている。本実施例が示したプラスチック本体１’は、その両側の側アーム１２’にカセット穴１２０があり、該弾性ユニット２’の前段を中に取り付ける。該弾性ユニット２’の弾性アーム２３’を該カセット穴１２０の中で外に向けてはね動かすことができ、該弾性アーム２３’を外に向けてはね動かし、該カセット穴１２０の穴壁１２０’に突き寄せた時は該弾性アーム２３’の頂縁に突設した突き板部２３１’は投影的に完全に両側アーム１２’の間に形成した電子カード置き区１０の上側を離れる。該カセット穴１２０の阻害によって弾性ユニット２’の弾性アーム２３’の外に向かってはね動く最大角度を制限して、該弾性アーム２３の変形を避ける。
【００１６】
本実施例の固定式側アームの電子カードコネクターは、その主なる特徴は、該プラスチック本体１或いは１’の両側の側アーム１２或いは１２’の電子カード３の挿し込み或いは取り出しの操作過程中では外に向かってはね動かす必要がないので、各側アームの断裂或いは損壊を避けることができ、該電子カードコネクターの使用寿命を増進することができるので、その新規性及び実用性を現している。
本考案の構造、形状は本考案の精神と範疇下で修飾して応用することができることを自限しないことを特に強調する。
【図面の簡単な説明】
【００１７】
【図１】本考案の第一実施例による固定式側アームの電子カードコネクターを示す分解斜視図である。
【図２】本考案の第一実施例による固定式側アームの電子カードコネクターを示す外観斜視図である。
【図３】本考案の第一実施例による固定式側アームの電子カードコネクターを示す側面図である。
【図４】本考案の第一実施例による固定式側アームの電子カードコネクターの電子カードを挿し込んだ状態を示す外観斜視図である。
【図５】本考案の第一実施例による固定式側アームの電子カードコネクターの電子カードを挿し込んだ状態を示す側面図である。
【図６】本考案の第二実施例による固定式側アームの電子カードコネクターを示す側面図である。
【図７】本考案の第二実施例による固定式側アームの電子カードコネクターを示す側面図である。
【図８】本考案の第二実施例による固定式側アームの電子カードコネクターを示す前面図である。
【図９】本考案の第二実施例による固定式側アームの電子カードコネクターを示す側面図である。
【図１０】従来の電子カードコネクターを示す外観斜視図である。
【符号の説明】
【００１８】
１、１’  プラスチック本体、１１、１１’  ベース部、１１２ａ、１１２ｂ  端子穴、１２、１２’  側アーム、１２ｂ  裏側、１２０’  穴壁、１３  嵌穴、２、２’  弾性ユニット、２２  嵌接部、２３、２３’  弾性アーム、２３１ａ  弧形面或いは斜面、２５  定位鉤部、３１  定位穴、３ｂ  後端、１０  電子カード置き区、１１１  挿し穴、１１３ａ、１１３ｂ  端子、１２ａ  外側、１２０  カセット穴、１２１  突き塊、１４  定位凹穴、２１  基板部、２２１  逆鉤部、２３１、２３１’  突き板部、２４  アース板、３  電子カード、３ａ  前端、３２  アース接点
【図１】
0003103140.tif 000003
【図２】
0003103140.tif 000004
【図３】
0003103140.tif 000005
【図４】
0003103140.tif 000006
【図５】
0003103140.tif 000007
【図６】
0003103140.tif 000008
【図７】
0003103140.tif 000009
【図８】
0003103140.tif 000010
【図９】
0003103140.tif 000011
【図１０】
0003103140.tif 000012